(57)【要約】【課題】汎用性が高く、光拡散体を採用したとしても、全体をコンパクトにし、多種多様な商品の発展性を確保すること。【解決手段】ＬＥＤ素子を有するチップ基板６と、このチップ基板６のＬＥＤ素子の点灯制御を司る制御回路３と、この制御回路３を囲繞する有底スリーブ状を呈し、チップ基板を底部に担持するとともに、当該チップ基板６の放熱部材を兼ねる外殻ケース４とを備え、外殻ケース４が造営材１６に直接固定された状態で給電源１５に接続されている。【選択図】図１
2011165506.tif 000002
【特許請求の範囲】
【請求項１】
ＬＥＤ素子を有するチップ基板と、
このチップ基板の前記ＬＥＤ素子の点灯制御を司る制御回路と、
この制御回路を囲繞する有底スリーブ状を呈し、前記チップ基板を底部に担持するとともに当該チップ基板の放熱部材を兼ねる外殻ケースと、
この外殻ケースの前記底部に設けられ、前記チップ基板を当該底部に封緘するチップカバーと
を備え、前記外殻ケースが造営材に直接固定された状態で給電源に接続されている
ことを特徴とするＬＥＤランプ。
【請求項２】
請求項１記載のＬＥＤランプにおいて、
前記外殻ケースを覆うランプカバーを着脱自在に装着するマウント部を備えている
ことを特徴とするＬＥＤランプ。
【請求項３】
請求項２記載のＬＥＤランプにおいて、
前記マウント部は、前記外殻ケースに形成されている
ことを特徴とするＬＥＤランプ。
【請求項４】
請求項２記載のＬＥＤランプにおいて、
前記マウント部は、前記外殻ケースに装着された補助部材に形成されている
ことを特徴とするＬＥＤランプ。
【請求項５】
請求項２記載のＬＥＤランプにおいて、
前記マウント部は、大型のランプカバーを取り付ける補助部材を着脱自在に備えている
ことを特徴とするＬＥＤランプ。
【請求項６】
請求項２記載のＬＥＤランプにおいて、
前記マウント部は、前記外殻ケースを天井内に埋め込まれたダウンライトのフードに装着するための装着部位を兼ねる
ことを特徴とするＬＥＤランプ。
【請求項７】
請求項１から６の何れか１項に記載のＬＥＤランプにおいて、
前記チップカバー中央部から突き出た部分に光拡散体を着脱可能に取り付けた
ことを特徴とするＬＥＤランプ。
【請求項８】
請求項１から７の何れか１項に記載のＬＥＤランプと、
前記ＬＥＤランプに着脱自在に取り付けられる光透過性を有するランプカバーと
を備えていることを特徴とするＬＥＤ照明器具。
【請求項９】
請求項８記載のＬＥＤ照明器具において、
前記ＬＥＤランプに設けられたダウンライトのフードを備えている
ことを特徴とするＬＥＤ照明器具。
【発明の詳細な説明】
【技術分野】
【０００１】
本発明はＬＥＤランプおよびＬＥＤ照明器具に関する。
【背景技術】
【０００２】
エコロジーの要請が高まる昨今では、照明器具の分野においても、省エネルギーを意識した電球ないし照明器具の開発が進んでいる。特に、発光ダイオード（ＬＥＤ）を光源として備えたＬＥＤランプは、従来の白熱電球に比べて、消費電力が著しく小さいことから、電球型の照明としても実用化が促進されつつある。
【０００３】
従来、電球型に開発されてきたＬＥＤランプは、ＬＥＤをエジソン型の口金に取り付け、ソケットに口金を取り付けて使用する形式のものが一般的である（特許文献１）。
【０００４】
ところで、ＬＥＤは、光の直進性が強いので、ＬＥＤランプから照射される光を拡散させる必要がある。そのため特許文献１に開示された構成では、ＬＥＤに対向する光拡散体を当該ＬＥＤの照射方向に沿って設け、ＬＥＤから照射された光を光拡散体で反射させて拡散させるようにしていた。
【０００５】
また、ＬＥＤは、発熱性が高いことでも知られており、放熱対策が欠かせない。そのため、従来のＬＥＤランプでは、口金からＬＥＤまでの間に放熱フィンを有する筒体を設け、この筒体で、ＬＥＤから口金までの距離をとって、放熱対策を図っていた。
【先行技術文献】
【特許文献】
【０００６】
【特許文献１】特開２００２−２０８３０５公報
【発明の概要】
【発明が解決しようとする課題】
【０００７】
しかしながら、上述のような筒体をＬＥＤと口金との間に設けた構成では、ＬＥＤランプの全長が長くなり、デザイン上、大きな制約となっていた。そのため、全体の２／３近くがＬＥＤから光が届かない影のエリアとなり、明かりおよび器具デザインを重視する吊り下げ器具、シャンデリア器具、直付形器具、その他薄型コンパクト器具などの用途としては、致命的な欠陥になっていた。
【０００８】
とりわけ、従来の照明器具は、電球の寿命が比較的短かったことの影響を受けて、エジソン型の口金や引掛シーリング等の取り付け部材にＬＥＤランプを着脱自在に取り付ける、という発想のもとに設計されていた。そのため、近年要請されているコンパクト性、商品の展開性を持ち得た設計が困難になっていた。
【０００９】
本発明は、上記不具合に鑑みてなされたものであり、汎用性が高く、光拡散体を採用したとしても、全体をコンパクトにし、多種多様な商品の発展性を確保することのできるＬＥＤランプおよびＬＥＤ照明器具を提供することを課題としている。
【課題を解決するための手段】
【００１０】
本件発明は、鋭意研究の結果、ＬＥＤの長寿命化に着目し、その長寿命な特性を活かしつつ、ＬＥＤの放熱構造を照射光の拡散手段として有効利用することにより、上記課題を解決することができることに想到し、本願発明を完成させるに至った。
【００１１】
即ち、本発明は、ＬＥＤ素子を有するチップ基板と、このチップ基板の前記ＬＥＤ素子の点灯制御を司る制御回路と、この制御回路を囲繞する有底スリーブ状を呈し、前記チップ基板を底部に担持するとともに当該チップ基板の放熱部材を兼ねる外殻ケースとを備え、前記外殻ケースが造営材に直接固定された状態で給電源に接続されていることを特徴とするＬＥＤランプである。この態様では、チップ基板を底部で担持する外殻ケースを放熱体として利用することができるとともに、この放熱体としての外殻ケースが造営材に直接固定された状態で給電源に接続される構成であることから、エジソン型の口金を廃止することができ、照射方向の長さを一層短く設定することができる。この構成は、造営材に照明器具を設け、その照明器具に照明ランプを取り付ける、という従来の発想とは全く異なるものであり、寿命の長いＬＥＤランプを造営材に直接取り付け、固定されたＬＥＤランプに所定の部材を取り付けて種々の照明器具を構築することが可能になっているのである。この結果、共通仕様のＬＥＤランプを核にして、多種多様な照明器具の設計施工が可能になる。「造営材」は、建築構造物の壁や天井を想定しているが、本発明においては、壁、天井のみならず、壁、天井に固定される器具（例えば、アーム型照明器具、ウォールライト、シャンデリア、ペンダント等）をも含む概念である。
【００１２】
好ましい態様において、前記外殻ケースを覆うランプカバーを着脱自在に装着するマウント部を備えている。この態様では、ＬＥＤランプが施工される仕様に応じて、ランプカバーのデザインを適宜変更し、多種多様なデザインニーズに対応することが可能になる。しかも、外殻ケースにランプカバーを装着することができるので、多種多様なＬＥＤ照明器具に適合するＬＥＤランプを提供することが可能になる。
【００１３】
好ましい態様において、前記マウント部は、前記外殻ケースに形成されている。
【００１４】
好ましい態様において、前記マウント部は、前記外殻ケースに装着された補助部材に形成されている。
【００１５】
好ましい態様において、前記外殻ケースのマウント部は、大型のランプカバーを取り付ける補助部材を着脱自在に備えている。この態様では、外殻ケースの汎用化を一層促進することができる。
【００１６】
好ましい態様において、前記マウント部は、前記外殻ケースを天井内に埋め込まれたダウンライトのフードに装着するための装着部位を兼ねる。この態様では、比較的容易な操作でダウンライトのフードに装着することができるので、施工の容易な埋め込み型のダウンライトを供することが可能になる。
【００１７】
好ましい態様において、前記チップカバー中央部から突き出た部分に光拡散体を着脱可能に取り付けている。光拡散体の取り付け構造としては、ねじ等が好ましい。
【００１８】
本発明の別の態様は、上述したＬＥＤランプと、前記ＬＥＤランプに着脱自在に取り付けられる光透過性を有するランプカバーとを備えていることを特徴とするＬＥＤ照明器具である。この態様では、汎用性の高いＬＥＤランプを核として、極めて多様なバリエーションを有するＬＥＤ照明器具を展開することができる。
【００１９】
好ましい態様において、ＬＥＤ照明器具は、前記ＬＥＤランプに設けられたダウンライトのフードを備えている。
【発明の効果】
【００２０】
以上説明したように、本発明によれば、ＬＥＤランプに器具を設けるという全く斬新な発想のもとに、放熱体として機能する外殻ケースを光拡散体としても機能させているので、全体をコンパクトにし、多種多様な商品の発展性を確保することができるという顕著な効果を奏する。
【図面の簡単な説明】
【００２１】
【図１】本発明の実施の一形態に係るＬＥＤランプの構成を示す断面図である。
【図２】図１のＬＥＤランプの分解斜視図である。
【図３】図１のＬＥＤランプの要部を拡大して示す要部断面略図である。
【図４】図１のＬＥＤランプの変形例を拡大して示す要部断面略図である。
【図５】図１のＬＥＤランプのさらに別の変形例を拡大して示す要部断面略図である。
【図６】図５の変形例を拡大して示す要部断面略図である。
【図７】図１のＬＥＤランプを用いたシーリング照明器具を拡大して示す部分断面略図である。
【図８】図１のＬＥＤランプを用いた別のシーリング照明器具を拡大して示す部分断面略図である。
【図９】図１のＬＥＤランプを用いた別のシーリング照明器具を拡大して示す部分断面略図である。
【図１０】図１のＬＥＤランプを用いたペンダントを拡大して示す部分断面略図である。
【図１１】図１のＬＥＤランプを用いた自在アーム型照明器具を拡大して示す部分断面略図である。
【図１２】図１のＬＥＤランプを用いたウォールライトを拡大して示す部分断面略図である。
【図１３】図１のＬＥＤランプを用いたダウンライトを拡大して示す部分断面略図である。
【発明を実施するための形態】
【００２２】
以下、添付図面を参照しながら本発明の好ましい実施の形態について説明する。
【００２３】
図１は、本発明の実施の一形態に係るＬＥＤランプ１の構成を示す断面図である。また、図２は、図１のＬＥＤランプ１の分解斜視図である。
【００２４】
まず、図１および図２を参照して、本実施形態に係るＬＥＤランプ１は、点灯回路ユニット３と、この点灯回路ユニット３を内部に収容する外殻ケース４と、この外殻ケース４の底部４ａに固定される熱伝導板５と、この熱伝導板５上に固着されるチップ基板６と、チップ基板６を熱伝導板５とともに底部４ａに封緘するチップカバー７とを備えている。そして、本実施形態のＬＥＤランプ１は、外殻ケース４を造営材としての天井１６に直接固定され、点灯回路ユニット３等の給電要部が、天井１６内に配索された給電源としての給電線１５から給電されている。給電線１５からの給電は、室内に設けられた図略の電源スイッチによって操作される。
【００２５】
点灯回路ユニット３は、有底のカップ状に形成された樹脂製のケース３ａと、このケース３ａの内底部に形成された肩部に着座する点灯回路基板３ｂと、この点灯回路基板３ｂに組み付けられる点灯回路素子３ｃとを備えている。ケース３ａの上端部には、フランジ３ｄが形成されており、このフランジ３ｄが、外殻ケース４の内周上部に形成された肩部に着座した状態で固定保持されている。点灯回路素子３ｃは、整流回路、コンデンサ、抵抗、トランジスタ等で構成されている。点灯回路素子３ｃは、図略の配線を介して、外殻ケース４の底部に固定されたチップ基板６と電気的に接続されており、チップ基板６に設けられているＬＥＤ素子の点灯を制御する制御回路を構成している。
【００２６】
外殻ケース４は、チップ基板６を担持する上記底部４ａと、この底部４ａと連続するテーパ状スリーブ４ｂと、テーパ状スリーブ４ｂの上縁に延設されたフランジ部４ｃと、フランジ部４ｃの外周にテーパ状スリーブ４ｂと同心に連設され、一部がフランジ部４ｃよりも下方に垂下した状態で全体が上方に延びる円筒形スリーブ４ｄとを備えている筒体である。外殻ケース４は、高純度のアルミニウムで構成されており、プレス成型、或いはダイカスト成型等の工法により、図示の形状に成形された後、表面にエッチング仕上げ、アルマイト処理を施したものである。テーパ状スリーブ４ｂは、例えば２°程度の勾配で下側が細くなるようテーパ状になっており、詳しくは後述するように、テーパ状スリーブ４ｂの外周面４ｅは、ＬＥＤ素子が照射した光を拡散反射する反射周面を構成している。外殻ケース４の底部４ａには、矩形の窪み４ｈが形成されており、この窪み４ｈ内に熱伝導板５が嵌装されている。また、外殻ケース４の上部には、別部材で形成された取付フランジ４ｊがビス止めされており、この取付フランジ４ｊを介して、ＬＥＤランプ１を直接天井１６に固定する構成になっている。
【００２７】
熱伝導板５は、例えば銅など、外殻ケース４よりも熱伝導率の高い金属板である。熱伝導板５の下面には、チップ基板６が固定されており、このチップ基板６から生じる熱が、熱伝導板５を介して外殻ケース４に伝播し、外殻ケース４全体から放熱されるようになっている。加えて本実施形態では、熱伝導板５が光を反射する反射板の機能を奏するように、表面が鏡面状に仕上げられている。
【００２８】
チップ基板６は、ＬＥＤ素子を担持する面状の部材であり、上記熱伝導板５に貼着され、点灯回路ユニット３の制御に基づいて下方に光を照射できるように構成されている。
【００２９】
チップカバー７は、耐熱性、並びに光透過拡散性を有する樹脂またはガラスで構成されており、気密性、液密性を確保した状態で底部４ａに固着されて、チップ基板６を封緘している。本実施形態において、チップカバー７は、光透過性の高い材質であり、その境界面７ａがチップ基板６のＬＥＤ素子から照射された光の一部を外殻ケース４側へ反射することができるようになっている。図１に示すように、チップカバー７の外周部は、外殻ケース４の底部よりも径方向に膨出しており、境界面７ａが反射した光の一部を外殻ケース４の外周面に導くことができるようになっている。その結果、図３に示すように、チップカバー７の境界面７ａから反射された光は、外殻ケース４の外周面に反射し、この外周面に施された表面処理（エッチング仕上げやアルマイト処理）によって形成された微細な凹凸面と相俟って、さらにチップ基板６の上側で拡散するようになっている。
【００３０】
以上の構成では、図略の電源スイッチを入れることにより、点灯回路ユニット３が制御回路として機能し、チップ基板６のＬＥＤ素子が発光する。このＬＥＤ素子が照射した光は、図３に示すように、一部がチップカバー７を透過し、外部を照らすとともに、一部がチップカバー７を反射して、外殻ケース４のテーパ状スリーブ４ｂや熱伝導板５に導かれる。次いで、これらの光が乱反射し、均等な拡散光として外部に照射される。この結果、比較的均質で光度の高い光を照射することが可能になる。
【００３１】
以上説明したように、本実施形態のＬＥＤランプ１は、ＬＥＤ素子を有するチップ基板６と、このチップ基板６のＬＥＤ素子の点灯制御を司る制御回路としての点灯回路ユニット３と、この点灯回路ユニット３を囲繞する有底スリーブ状を呈し、チップ基板６を底部４ａに担持するとともに当該チップ基板６の放熱部材を兼ねる外殻ケース４と、この外殻ケース４の底部４ａに設けられ、チップ基板６を底部４ａに封緘するチップカバー７と、チップカバー７に設けられ、ＬＥＤ素子からの照射光を外殻ケース４の外周に導くカバー側反射面としての境界面７ａと、外殻ケース４の外周に形成され、境界面７ａから反射された照射光を拡散反射する反射周面としての外周面４ｅとを備え、給電源に接続された状態で天井１６に直接固定されている。
【００３２】
このため本実施形態では、チップ基板６を底部４ａに担持する外殻ケース４を放熱体として利用することができるとともに、この放熱体としての外殻ケース４を照射光の拡散反射体としても利用することができるので、照射光を充分に拡散する光路を確保することができる。そのため、チップ基板６からＬＥＤ素子が照射する方向の距離を可及的に短縮しても、均質な拡散光を得ることができ、しかも全体の長さをコンパクトにまとめることができる。しかも、外殻ケース４を照射光の拡散反射体として利用することにより、光の透過部分を大幅に広く設計することができる。この結果、従来のＬＥＤランプでは、全長の１／３しかない照明エリアを全長の１／２以上に拡大することが可能になる。また、天井１６に直接固定された状態で給電源に接続される構成であることから、エジソン型の口金を廃止することができ、照射方向の長さを一層短く設定することができる。この構成は、天井に照明器具を設け、その照明器具に照明ランプを取り付ける、という従来の発想とは全く異なるものであり、寿命の長いＬＥＤランプ１を天井１６に直接取り付け、固定されたＬＥＤランプ１に所定の部材を取り付けて種々の照明器具を構築することが可能になっているのである。この結果、共通仕様のＬＥＤランプ１を核にして、多種多様な照明器具の設計施工が可能になる。
【００３３】
また、本実施形態では、外殻ケース４のテーパ状スリーブ４ｂは、底部側が細くなるテーパ形状に形成されているとともに、チップカバー７は、外周面が径方向に底部から膨出して外周面４ｅに臨んでいる。このため本実施形態では、照射光をより効率よくチップカバー７から外殻ケース４の外周面４ｅに導くことができ、より多くの光を拡散することが可能になる。また、勾配（本実施形態においては、２°程度）をつけることによって外殻ケース４の製造が容易になる。
【００３４】
また、本実施形態では、外殻ケース４は、アルミニウム材で形成されており、反射周面は、エッチング仕上げおよびアルマイト処理が施されている。このため本実施形態では、外殻ケース４の放熱性能が高まり、チップ基板６や外殻ケース４に囲繞される点灯回路ユニット３の長寿命化を図ることができるとともに、放熱性能を損なうことなく外殻ケース４の薄肉化を図ることができ、軽量化、材料の節減に寄与する。加えて、反射周面による照射光の反射効率も向上する。
【００３５】
また、本実施形態では、チップ基板６は、熱伝導板５を介して底部４ａに固着されている。このため本実施形態では、チップ基板６上のＬＥＤ素子が生じた熱を熱伝導板５から速やかに熱容量の大きい外殻ケース４に伝えることができ、より効率的に放熱効果を生じさせることができる。
【００３６】
上述した実施形態は、本発明の好ましい具体例に過ぎず、本発明は上述した実施形態に限定されない。
【００３７】
チップカバー７としては、図４に示す構成を採用することも可能である。
【００３８】
図４を参照して、同図に示すチップカバー７は、境界面７ａにアルミ蒸着で反射面７ｂを点在させ、反射面７ｂで積極的に照射光を反射するようにしている。この構成を採用する場合、チップカバー７は、必ずしもハーフミラーで構成する必要はない。図４の構成においては、チップ基板６のＬＥＤ素子から照射した光をチップカバー７自身によっても拡散することができ、さらに一部の光を外殻ケース４に導いて、当該外殻ケース４の外周面４ｅにより拡散することができる。
【００３９】
また、図５に示すように、チップカバー７の下面に臨む光拡散体１７を設け、この光拡散体１７によって、ＬＥＤランプ１の側部や外殻ケース４に照射光を反射するようにしてもよい。
【００４０】
また、好ましくは、この光拡散体１７には、微小な光透過孔１７ａが形成されており、全体の５０％の光を透過できるようになっている。
【００４１】
また、図６に示すように、光透過孔１７ａを形成する際、この光透過孔１７ａの周面に傾斜を形成することが好ましい。その場合には、光透過孔１７ａに入射した光の一部が周面に反射されて拡散する。
【００４２】
各態様において、光拡散体１７ａは、ねじ等により、外殻ケース４に着脱自在に固定されている。
【００４３】
また、本願発明では、上述した実施形態に係るＬＥＤランプ１を核として、種々のＬＥＤ照明器具を構築することが可能となる。図１の例では、天井１６に固定されたＬＥＤランプ１にランプカバー８を外装することにより、図７に示すようなシーリング照明２０を構築することが可能となる。
【００４４】
ランプカバー８は、透過性を有する樹脂製のグローブである。ランプカバー８は、一部が開放されたセードであってもよい。
【００４５】
ランプカバー８を外装するために、本実施形態の外殻ケース４は、テーパ状スリーブ４ｂと円筒形スリーブ４ｄとの間に形成され、フランジ部４ｃの底面と連続するマウント部４ｆを備えており、このマウント部４ｆにランプカバー８の上端部が嵌合し、保持されるようになっている。図では省略されているが、マウント部４ｆの適所には、ねじまたは切欠等が設けられ、ランプカバー８の上端部が所定の操作によってのみ着脱可能に嵌合し、装着時には、不随意に外れないように工夫されている。このため本実施形態では、例えば、図８に示すように、図１と異なる仕様のグローブで構成されたランプカバー８を適宜採用して、製品のバリエーションを拡げ、ＬＥＤランプ１が施工される仕様に応じて、ランプカバー８のデザインを適宜変更し、多種多様なデザインニーズに対応することが可能になる。しかも、外殻ケース４にランプカバー８を装着することができるので、多種多様なＬＥＤランプ１に適合するＬＥＤランプ１を提供することが可能になる。
【００４６】
次に、外殻ケース４を覆うランプカバー８のマウント部としても、種々の態様を採用することが可能である。
【００４７】
例えば、図１に示すように、円筒形スリーブ４ｄの外周部にも環状のマウント部４ｇを形成し、より大型のグローブ８を嵌合して、別のシーリング照明２０を構成してもよい。また、図９に示すように、このマウント部４ｇに別部材で構成された補助部材１８を設け、この補助部材１８を介してグローブ８をＬＥＤランプ１に固定するようにしてもよい。
【００４８】
また、図１０に示すように、一部が造営材として機能するペンダント２５のランプとしてＬＥＤランプ１を採用することが可能である。
【００４９】
或いは、図１１に示すように、一部が造営材として機能するアーム型照明器具２６のランプとしてＬＥＤランプ１を採用することが可能である。
【００５０】
また、図１２に示すように、一部が造営材として機能するウォールライト２７のランプとしてＬＥＤランプ１を採用することが可能である。図１２に示す例では、外殻ケース４に複数のマウント部を設け、一方のマウント部には、小型のグローブ２８を取り付けるとともに、他方のマウント部には、大型のセード２９を取り付けるようにして、ＬＥＤランプ１を核とするウォールライト用のＬＥＤ照明器具として構成している。
【００５１】
或いは、図１２の構成をシャンデリアに採用してもよい。
【００５２】
さらに図１に示したＬＥＤランプ１を用いて、ダウンライト３０を構成することも可能である。
【００５３】
例えば、図１３に示す例では、フード３１を天井１６に埋設し、このフード３１内にＬＥＤランプ１を装着するようにしている。フード３１は、周方向の適所に複数のウィングばね３２を有し、下端部に設けられた化粧パネル３３とともに天井１６を挟圧して天井１６に固定されている。また、フード３１の内周面３１ａは、ＬＥＤランプ１の光を室内側へ乱反射するのに好適な反射面を構成している。
【００５４】
また、図１３に示す例では、外殻ケース４の円筒形スリーブ４ｄに設けたマウント部４ｇを装着用の部位として併用し、このマウント部４ｇにフード３１に設けられた嵌合部３１ｂを嵌合させて、ＬＥＤランプ１にフード３１を取り付け、このフード３１を介してＬＥＤランプ１を天井１６に固定している。この例のマウント部４ｇは、外殻ケース４を天井内に埋め込まれたダウンライト３０のフードに装着するための装着部位を兼ねているので、ダウンライト３０の施工が極めて容易になる。従って、ＬＥＤランプ１の汎用性を高め、同一の仕様でより商品のバリエーションを幅広く展開することが可能になる。
【００５５】
上述した実施の形態は、本発明の好ましい具体例を例示したものに過ぎず、本発明は上述した実施形態に限定されない。例えば、熱伝導板５や窪み４ｈを省略し、チップ基板６を直接底部４ａに固着してもよい。その他、本発明の特許請求の範囲内で種々の変更が可能であることはいうまでもない。
【符号の説明】
【００５６】
１  ＬＥＤランプ
３  点灯回路ユニット（制御回路の一例）
４  外殻ケース
４ａ  底部
４ｂ  テーパ状スリーブ
４ｅ  外周面（反射周面）
４ｆ、４ｇ  マウント部
５  熱伝導板
６  チップ基板
７  チップカバー
７ａ  境界面（カバー側反射面の一例）
８  ランプカバー
１５  給電線
１６  天井
１７  光拡散体
１８、１９  補助部材
２０  シーリング照明（ＬＥＤ照明器具の一例）
２５  ペンダント（ＬＥＤ照明器具の一例）
２６  アーム型照明器具（ＬＥＤ照明器具の一例）
２７  ウォールライト（ＬＥＤ照明器具の一例）
２８  グローブ（ランプカバーの一例）
２９  セード（ランプカバーの一例）
３０  ダウンライト（ＬＥＤ照明器具の一例）
３１  フード
【図１】
2011165506.tif 000003
【図２】
2011165506.tif 000004
【図３】
2011165506.tif 000005
【図４】
2011165506.tif 000006
【図５】
2011165506.tif 000007
【図６】
2011165506.tif 000008
【図７】
2011165506.tif 000009
【図８】
2011165506.tif 000010
【図９】
2011165506.tif 000011
【図１０】
2011165506.tif 000012
【図１１】
2011165506.tif 000013
【図１２】
2011165506.tif 000014
【図１３】
2011165506.tif 000015